(57)【要約】【課題】テレビ番組などの録画番組の予約状況を容易に識別できる録画再生装置を提供する。【解決手段】テレビ番組などを録画する際に、日付、時刻、チャンネル、ユーザ識別情報などの視聴管理情報を録画番組と対応付けて記録するとともに、撮像部を備え、録画番組の予約時に予約操作者を撮影して認識し、認識された人物が当該番組を予約したとみなして視聴者管理情報を更新するようにした。【選択図】  図１
2007250157.tif 000002
【特許請求の範囲】
【請求項１】
録画再生装置において、
撮像手段と、
前記撮像手段で撮像した画像データを認識し人物を認識する認識手段と、
録画番組の視聴情報を管理するための視聴管理情報を作成する視聴管理情報作成手段と、
番組を録画予約する録画予約手段と、
前記録画予約手段により番組の録画予約操作が行われているときに、前記撮像手段により撮像され前記認識手段により認識された人物に対応する情報を前記視聴者管理情報に記録する視聴者管理情報更新手段と、
を具備したことを特徴とする録画再生装置。
【請求項２】
録画再生装置において、
撮像手段と、  
前記撮像手段で撮像した画像データを認識し、予め登録された複数の人物のいずれかを認識する認識手段と、
録画番組の視聴情報を管理するための視聴管理情報を作成する視聴管理情報作成手段と、
番組を録画予約する録画予約手段と、
前記録画予約手段により番組の録画予約操作が行われているときに、前記撮像手段により撮像され前記認識手段により認識された人物が予め登録された複数の人物のいずれかを示す情報を前記視聴者管理情報に記録する視聴者管理情報更新手段と、
を具備したことを特徴とする録画再生装置。
【請求項３】
前記撮像手段は、該録画再生装置から着脱可能であることを特徴とする請求項１または２いずれかに記載の録画再生装置。
【請求項４】
録画再生装置のコンピュータに、
撮像機能と、
撮像した画像データを認識し人物を認識する認識機能と、
録画番組の視聴情報を管理するための視聴管理情報を作成する視聴管理情報作成機能と、
番組を録画予約する録画予約機能と、
番組の録画予約操作が行われているときに、撮像され認識された人物に対応する情報を前記視聴者管理情報に記録する視聴者管理情報更新機能と、
を具備したことを特徴とするプログラム。
【請求項５】
撮像機能と、  
撮像した画像データを認識し、予め登録された複数の人物のいずれかを認識する認識機能と、
録画番組の視聴情報を管理するための視聴管理情報を作成する視聴管理情報作成機能と、
番組を録画予約する録画予約機能と、
番組の録画予約操作が行われているときに、認識された人物が予め登録された複数の人物のいずれかを示す情報を前記視聴者管理情報に記録する視聴者管理情報更新機能と、
を具備したことを特徴とするプログラム。
【発明の詳細な説明】
【技術分野】
【０００１】
本発明は、録画再生装置及びプログラムに関し、例えば地上波デジタル放送用のデジタル録画再生装置に適用して好適なものである。
【背景技術】
【０００２】
昨今、わが国でも地上波デジタル放送サービスが開始される等、テレビ放送サービスにおいては、これまで主に用いられてきた地上波のアナログ放送技術に代えて、通信衛星（ＣＳ：Communications Satellite）や放送衛星（ＢＳ：Broadcast Satellite ）を介して、或いは地上波において、デジタル信号を伝送するデジタル放送技術が急速に普及しつつある。
かかるデジタル放送技術による放送サービス（以下、単にデジタル放送と呼ぶ。）においては、放送される番組の音声や映像のデータに加え、番組のジャンル、放送時間等に関する電子番組ガイドといった情報データを含んだ放送波が送信される。
【０００３】
また昨今、テレビ放送を受信し録画及び再生するための装置（以下、録画再生装置と呼ぶ。）としては、テレビ放送の音声や映像のデータ（以下、音声映像データと呼ぶ。）を、ハードディスクや追記型ＤＶＤ媒体（ＤＶＤ−ＲＡＭやＤＶＤ−ＲＷ）といった、ランダムアクセスによる情報の読み書きが可能な記録媒体に記録（録画）する形態の装置が普及するようになった。
【０００４】
そのような、ランダムアクセス性を有する録画再生装置によれば、記録媒体に録画された複数の音声映像データを任意の順序で再生できるから、ユーザは録画内容を容易に確認できる。
【０００５】
ところで、かかる録画再生装置として、デジタル放送の番組を録画及び再生するように構成された装置（以下、デジタル放送録画再生装置と呼ぶ。）の場合、番組を録画する際、放送波に含まれる電子番組ガイドの情報データから取得したその番組のジャンル、放送時間等といった情報（以下、管理情報と呼ぶ。）を、録画される音声映像データと対応付けて記録しておくように構成することも可能である。かかる構成のデジタル放送録画再生装置によれば、ユーザはこの管理情報の内容を参照しながら所望の音声映像データを特定し、再生視聴できる。
【０００６】
そのようなデジタル放送録画再生装置として、例えば、録画の際、日付、時間、番組名、出演者、コメント等で構成される管理情報を音声映像データと対応付けて記録し、後にユーザが再生対象の音声映像データを選択する際、記録した管理情報を参照しながら選択できるようにした構成が開示されている（例えば、特許文献１）。
【０００７】
また、録画ユーザ、視聴予定ユーザ、視聴ユーザについて、コンテンツごとに、各コンテンツの視聴の有無、記録再生履歴の記録・更新、複数ユーザに共通の未視聴コンテンツの取り出し、全てのユーザによって視聴されたコンテンツの削除、などができるものがある（例えば、特許文献２）。
【０００８】
しかしながら、各音声映像データについての、かかる構成の管理情報が参照可能であっても、ユーザが各音声映像データを既に視聴したか否かを把握するためには、例えば、各音声映像データの一部を再生し視聴してみる必要や、管理情報の一部（例えば、番組名や録画日時）に基づいて既に視聴したか否か思考する必要がある。
このように、音声映像データが既に視聴されたか否かを把握することは容易でないという課題があった。
【０００９】
そこで人感センサを設けることによって音声映像データや記録データが既に視聴されたか否かをユーザが容易に把握できる録画再生装置を提供するものがある（例えば、特許文献３）。
しかしながら、特許文献３記載の技術では、何人視聴したか、または誰が視聴したかがわからないという課題があった。すなわち、再生時にログインもしくはユーザ入力しないと誰が再生しているのかわからない。再生時は、家族大勢で視聴しているのか、自分一人で視聴しているのか、親に再生操作をしてもらって子供が視聴しているのか、識別は困難であり、再生時にいちいちユーザコードを入力するのも面倒である。
【特許文献１】特開２００３−１８９２１８号公報
【特許文献２】特開２００４−１９９７４１号公報
【特許文献３】特開２００５−３３３５６６号公報
【発明の開示】
【発明が解決しようとする課題】
【００１０】
本発明は以上の点を考慮してなされたもので、録画番組のユーザ管理を容易にできる録画再生装置を提供することを目的としている。
【課題を解決するための手段】
【００１１】
かかる課題を解決するため請求項１に記載の発明では、録画再生装置において、撮像手段と、前記撮像手段で撮像した画像データを認識し人物を認識する認識手段と、録画番組の視聴情報を管理するための視聴管理情報を作成する視聴管理情報作成手段と、番組を録画予約する録画予約手段と、前記録画予約手段により番組の録画予約操作が行われているときに、前記撮像手段により撮像され前記認識手段により認識された人物に対応する情報を前記視聴者管理情報に記録する視聴者管理情報更新手段と、を具備したことを特徴とする録画再生装置を提供するものである。
これにより、録画予約時に、どのユーザが操作したかを認識することができる。
【００１２】
また、請求項２記載の発明では、録画再生装置において、撮像手段と、前記撮像手段で撮像した画像データを認識し、予め登録された複数の人物のいずれかを認識する認識手段と、録画番組の視聴情報を管理するための視聴管理情報を作成する視聴管理情報作成手段と、番組を録画予約する録画予約手段と、前記録画予約手段により番組の録画予約操作が行われているときに、前記撮像手段により撮像され前記認識手段により認識された人物が予め登録された複数の人物のいずれかを示す情報を前記視聴者管理情報に記録する視聴者管理情報更新手段と、を具備したことを特徴とする録画再生装置を提供するものである。
これにより、録画番組の予約時に、予め登録された人物のうちどのユーザが予約したかを認識することができる。
【００１３】
また、請求項３記載の発明では、前記撮像手段は、該録画再生装置から着脱可能であることを特徴とする請求項１または２いずれかに記載の録画再生装置を提供するものである。
これにより、未視聴番組と視聴済み番組の識別が容易になる。
【００１４】
また、請求項４記載の発明では、録画再生装置のコンピュータに、撮像機能と、撮像した画像データを認識し人物を認識する認識機能と、録画番組の視聴情報を管理するための視聴管理情報を作成する視聴管理情報作成機能と、番組を録画予約する録画予約機能と、番組の録画予約操作が行われているときに、撮像され認識された人物に対応する情報を前記視聴者管理情報に記録する視聴者管理情報更新機能と、を具備したことを特徴とするプログラムを提供するものである。
これにより、録画予約時に、どのユーザが操作したかを認識することができる。
【００１５】
また、請求項５記載の発明では、撮像機能と、撮像した画像データを認識し、予め登録された複数の人物のいずれかを認識する認識機能と、録画番組の視聴情報を管理するための視聴管理情報を作成する視聴管理情報作成機能と、番組を録画予約する録画予約機能と、番組の録画予約操作が行われているときに、認識された人物が予め登録された複数の人物のいずれかを示す情報を前記視聴者管理情報に記録する視聴者管理情報更新機能と、を具備したことを特徴とするプログラムを提供するものである。
これにより、録画番組の予約時に、予め登録された人物のうちどのユーザが予約したかを認識することができる。
【発明の効果】
【００１６】
本発明によれば、録画番組の予約時に、ユーザ（操作者）を撮影して認識するので、格別面倒な操作をしなくてもその番組を予約した状況を記録することができる。
【発明を実施するための最良の形態】
【００１７】
以下、図面を参照して本発明を実施するための形態について詳細に説明する。以下においては、本発明を地上波デジタル放送用のデジタル録画再生装置に適用した場合について説明するが、本発明を適用可能な形態がこれに限定されるものではない。アナログテレビ放送やケーブルテレビ、衛星放送、インターネット放送などに適用可能である。
【００１８】
〔実施の形態〕
図１は本実施の形態における地上波デジタル放送用のデジタル録画再生装置（以下、単に録画再生装置と呼ぶ。）１の内部構成を示すブロック図である。
同図に示すように録画再生装置１は、ＣＰＵ（Central Processing Unit ）１０と、バス１１を介して当該ＣＰＵ１０に接続される操作入力部１２、ＴＶ回路部１３、ビデオ回路部１４、音声映像記録部１５、音声映像出力部１６、メモリ部１７及び計時部１８とを備えて構成される。
【００１９】
ＣＰＵ１０は、入力される指示に応じて所定のプログラムに基づいた所定の処理を実行し、各機能部への指示やデータの転送等を行い、録画再生装置１を統括的に制御する。具体的には、ＣＰＵ１０は、操作入力部１２から入力されるキーの押下信号等に応じてメモリ部１７に格納されたプログラムを読み出し、当該プログラムに従って処理を実行する。
【００２０】
そして、処理結果をメモリ部１７に保存するとともに、当該処理結果を表示する為の表示信号を音声映像出力部１６を介して表示部１６１へ出力して、対応する表示情報を表示させる。ちなみに表示部１６１や後述するスピーカ１６２は必須ではなく、録画再生装置１にモニタやテレビ装置などを接続して使用する形態をとってもよい。
【００２１】
操作入力部１２は、視聴スイッチ１２１、録画予約スイッチ１２２、予約解除スイッチ１２３、録画スイッチ１２４、録画停止スイッチ１２５、再生スイッチ１２６、再生解除スイッチ１２７、再生開始スイッチ１２８及び再生停止スイッチ１２９を備えて構成される。
【００２２】
これらの各キーは、録画再生装置１の録画や再生に係る動作の指示を行うためのスイッチキーである。ユーザはこれらの各スイッチキーを押下（以下、オン操作、又は単にオンとも記す。）することにより、本実施の形態のＴＶ視聴、録画及び再生に係る動作の指示を行う。
【００２３】
また、操作入力部１２はこれらスイッチキーの他にも、カーソル移動のためのキー群でなるカーソルキー部１２ａ、ＴＶ回路部１３やビデオ回路部１４が受信する放送波を指定するためのキー群でなるチャンネル指定キー部１２ｃ、入力内容の削除や取消し操作のためのクリアキー１２ｄ、操作の確定指示等を行うためのキーである決定スイッチ１２ｂ等を備え、後述の各処理においてユーザが選択等の操作を行う際、適宜これらの各キーが具体的な入力手段となる。これらのキー群は録画再生装置の本体に設けてもよいが、一般的には図２４に示すようなリモコンに設けられる。
【００２４】
ＴＶ回路部１３は地上波デジタル放送を受信し復号するための回路部であり、アンテナ１ａを介して地上波デジタル放送の信号（以下、ＴＶ信号と呼ぶ。）を受信するＴＶチューナ１３１と、ＴＶ復調回路１３２と、ＴＶ復号回路１３３とを備えて構成される。
【００２５】
このＴＶ回路部１３においては、まずＴＶチューナ１３１は、ユーザが所定の方法で指定した放送波に対応するＴＶ信号をアンテナ１ａを介して受信してＯＦＤＭ変調信号としてＴＶ復調回路１３２へ出力し、ＴＶ復調回路１３２はそのＯＦＤＭ変調信号を復調することによりＴＳ（Transport Stream：トランスポート・ストリーム）を抽出してＴＶ復号回路１３３へ出力し、ＴＶ復号回路１３３はそのＴＳから映像データと音声データとを分離して音声映像出力部１６へ出力する。
【００２６】
この場合、ＴＶ復調回路１３２は、ＴＶチューナ１３１から入力されたＯＦＤＭ変調信号をＡ／Ｄ変換し、変換した信号に対して同調処理、ＦＦＴ演算（Fast Fourier Transform）及び誤り訂正処理を実行する一連の回路（図示せず。）を備えて構成され、これらによりＴＳの抽出を行う。
【００２７】
音声映像出力部１６は、音声や映像の出力制御を行う回路部であり、ＴＶ回路部１３から入力された映像データ及び音声データや、ＣＰＵ１０による各処理の実行に伴う処理結果を、例えばこの音声映像出力部１６に接続された表示部１６１やスピーカ１６２を介して出力する。
【００２８】
ビデオ回路部１４もまたＴＶ回路部１３と同様に、地上波デジタル放送を受信し復号するための回路部であり、アンテナ１ａを介してＴＶ信号を受信するビデオチューナ１４１と、ビデオ復調回路１４２と、ビデオ復号回路１４３とを備えて構成される。
【００２９】
このビデオ回路部１４においてもＴＶ回路部１３と同様に、ビデオチューナ１４１は、ユーザが所定の方法で指定した放送波に対応するＴＶ信号をアンテナ１ａを介して受信してＯＦＤＭ変調信号としてビデオ復調回路１４２へ出力し、ビデオ復調回路１４２はそのＯＦＤＭ変調信号を復調することによりＴＳを抽出してビデオ復号回路１４３へ出力するようになされている。
【００３０】
そしてビデオ復号回路１４３は、ビデオ復調回路１４２から入力されたＴＳから映像データと音声データとを分離するが、この場合、この映像データ及び音声データをバス１１へ出力するようになされ、出力された映像データ及び音声データは、後述するように、バス１１を介して音声映像記録部１５へ記録される。
【００３１】
音声映像記録部１５は、ハードディスクや追記可能な光ディスク等の記録媒体を備えて構成される補助記憶装置であり、ビデオ回路部１４から出力される映像データ及び音声データをバス１１を介して記録できるようになされている。
【００３２】
この場合ＣＰＵ１０が、例えば、まず音声映像記録部１５に空のデータファイルを作成し、ビデオ回路部１４から出力される映像データ及び音声データを所定の圧縮方式で圧縮してこのデータファイルへ次々と、所定期間に亘り追加記録する。本実施の形態において、以下、かかる追加記録の制御を録画と呼ぶこととする。
【００３３】
音声映像記録部１５は、かかる録画によって生成された各データファイル（以下、音声映像データと呼ぶ。）を記録媒体の容量が許す限り任意個保有することが可能であり、ＣＰＵ１０は、ファイル番号等のファイル識別子を音声映像データに付すことにより、それら各音声映像データを識別するようになされている。録画される音声映像データを録画番組と呼ぶこともある。
【００３４】
また、音声映像記録部１５は、かくして記録した音声映像データに係る映像データ及び音声データを、バス１１を介して音声映像出力部１６へ出力できるようになされている。
【００３５】
この場合、ＣＰＵ１０はまず、例えばユーザにより指定された音声映像データを音声映像記録部１５から読み出し、この音声映像データを先述の圧縮方式に対応する所定の展開方式で復元（デコード）することにより映像データ及び音声データを得、得られた映像データ及び音声データを次々と音声映像出力部１６へ出力する。
【００３６】
即ち、音声映像データに係る映像データは表示部１６１から、音声データはスピーカ１６２から、それぞれ出力され、これをユーザが視聴し得る。以下、本実施の形態において、かかる出力の制御を再生と呼ぶこととする。
【００３７】
計時部１８は、年月日や時分といった日付情報や時刻を計時する計時装置で構成され、ＣＰＵ１０は、この計時部１８によって計時される時刻情報から現時刻を取得する。この現時刻は放送信号や電波時計信号から正確な時刻を取得して修正可能である。
【００３８】
書換え可能な不揮発性メモリでなるメモリ部１７は、録画再生装置１に係るシステムプログラムやアプリケーションプログラム、各種初期設定、必要なプログラムのロードを行うための初期プログラム等を記憶するための記憶領域であり、また、ＣＰＵ１０が実行する各種プログラムの実行に係るデータ等を一時的に保持するための記憶領域でもある。
【００３９】
図１において、２００はＣＣＤ、ＣＭＯＳなどの撮像素子を備えた撮像部である。この撮像部２００はインターフェース回路２０１、バス１１を介してＣＰＵ１０に接続されている。内部に撮像素子駆動回路、画像処理回路、画像圧縮回路、画像メモリ、ＣＰＵ、電源などを備え、録画再生装置１に対して着脱可能である。
例えばインターフェース回路２１にＵＳＢ接続で着脱可能であり、単独でデジタルカメラの機能を有している。被写体として主に予約者または視聴者を撮影するためのものである。
【００４０】
ＣＰＵ１０からの制御により被写体を静止画、間欠静止画若しくは動画の形式で撮影し、画像データをＣＰＵ１０へ送る。画像データ形式は例えばＪＰＥＧ、ＭＰＥＧなどであるが、圧縮を含む各種画像処理は録画再生装置１側で行ってもよく、撮像部１００を別体とせず録画再生装置１に組み込んでもよい。撮影された画像は、認識して録画予約時に操作したユーザが誰か、再生時に視聴していたユーザは誰か、あるいは視聴していた人数をカウントするために用いられる。また、画像認識処理回路を撮像部２００内に持たせてもよい。
【００４１】
図２は、本実施の形態において、かかるメモリ部１７として用いられるメモリ部１７Ａの構成を示す図である。
同図に示すようにメモリ部１７Ａは、フラグ変数部１７１、録画チャンネル１７２（録画ＣＨ）、視聴チャンネル１７３（視聴ＣＨ）、ＥＰＧデータエリア１７４、予約データエリア１７５、録画データエリア１７６、メイン処理プログラム１７ｃ、視聴処理プログラム１７ｄ、録画設定処理プログラム１７ｅ、録画処理プログラム１７ｆ、再生処理プログラム１７ｇ、録画データ表示処理プログラム１７ｈ、チャンネル変更処理プログラム１７ｉ及び撮影認識プログラム１７ｊを備えて構成される。
【００４２】
フラグ変数部１７１は、録画再生装置１が所定の動作状態にあることを示す変数であるフラグ変数をそれぞれ格納する記憶領域であり、同図に示すように、ＳＩＣＨＯＦ、ＰＲＧＦ、ＴＡＩＫＩＦ、ＲＥＣＦ、ＰＬＡＹＦ及びＳＴＡＲＴＦの各フラグ変数を格納して構成される。
【００４３】
これらＳＩＣＨＯＦ、ＰＲＧＦ、ＴＡＩＫＩＦ、ＲＥＣＦ、ＰＬＡＹＦ及びＳＴＡＲＴＦは、それぞれ、ユーザにＴＶ視聴させる動作状態（以下、ＴＶ視聴モードと呼ぶ。）、録画予約に係る操作を受け付ける動作状態（以下、予約モードと呼ぶ。）、録画開始を待機する動作状態（以下、録画待機モードと呼ぶ。）、録画動作中である動作状態（以下、録画モードと呼ぶ。）、再生開始を待機する動作状態（以下、再生準備モードと呼ぶ。）及び再生動作中である動作状態（以下、再生動作モードと呼ぶ。）に対応するフラグ変数となっている。ここに、録画予約とは、所望の時刻にビデオ回路部１４が録画動作を開始するように、録画動作の開始時刻及び終了時刻等を設定する操作を言うものとする。
【００４４】
この場合ＣＰＵ１０により、ＳＩＣＨＯＦ、ＰＲＧＦ、ＴＡＩＫＩＦ、ＲＥＣＦ、ＰＬＡＹＦ及びＳＴＡＲＴＦの各値は、初期状態において何れも０となるように、また、録画再生装置１がそれぞれＴＶ視聴モード、予約モード、録画待機モード、録画モード、再生準備モード及び再生動作モードである場合に１となるように制御される。
【００４５】
そして、本実施の形態の録画再生装置１においては、例えば、視聴スイッチ１２１がオンされるとＳＩＣＨＯＦの値が１となり、ＴＶ視聴モードへ移行する。
また例えば、録画予約スイッチ１２２がオンされるとＰＲＧＦの値が１となり予約モードへ移行し、予約解除スイッチ１２３がオンされるとＰＲＧＦの値が０となり予約モードを終了する。
【００４６】
また、予約モードの録画再生装置１においては、例えば、録画予約に係る操作が完了するとＴＡＩＫＩＦの値が１となり録画待機モードへ移行し、更に当該録画予約に係る録画動作が開始されるとＲＥＣＦの値が１となり録画モードへ移行し、録画動作が終了するとＴＡＩＫＩＦ及びＲＥＣＦの値が０となり録画待機モード及び録画モードを終了する。
【００４７】
また、録画再生装置１においては、例えば、再生スイッチ１２６がオンされるとＰＬＡＹＦが１となり再生準備モードへ移行し、再生解除スイッチ１２７がオンされるとＰＬＡＹＦが０となり再生準備モードを終了する。
また、再生準備モードの録画再生装置１においては、例えば、再生開始スイッチ１２８がオンされるとＳＴＡＲＴＦが１となり再生動作モードへ移行し、再生停止スイッチ１２９がオンされるとＳＴＡＲＴＦが０となり再生動作モードを終了する。
【００４８】
録画チャンネル１７２（録画ＣＨ）及び視聴チャンネル１７３（視聴ＣＨ）は、それぞれ録画再生装置１における録画中及び視聴中のチャンネル番号を一時的に格納する領域である。
この場合、本実施の形態のＣＰＵ１０は、ＴＶ回路部１３において受信中のチャンネル、即ち表示部１６１が稼動しているならば表示部１６１に番組が表示されるチャンネルを視聴中のチャンネルとして、また、録画中にビデオ回路部１４において受信中のチャンネルを録画中のチャンネルとして、それぞれ認識するようになされている。
【００４９】
ＥＰＧデータエリア１７４は、現在放送中又は放送する予定の各番組に関する情報で構成されるＥＰＧ（Electronic Program Guide：電子番組ガイド）に基づく番組データを格納するためのデータテーブルである。
例えば図３にそのデータ構成例を示すように、ＥＰＧデータエリア１７４の各番組データは、番組の開始時刻、終了時刻、チャンネル番号（「チャンネル」）、番組名、ジャンル及び説明情報（「情報」）等の項目（以下、これらを包括的に番組データ項目と呼ぶ。）を有している。
【００５０】
この場合、番組データは予め所定の方法により取得され、メモリ部１７ＡのＥＰＧデータエリア１７４へ格納されるようになされている。
例えば、地上波デジタル放送の放送波に含めて配信される所定の信号に基づき番組データを取得することや、録画再生装置１に内蔵するネットワークインタフェース部（図示せず。）を用いて、ＥＰＧに基づく番組データの提供を行う所定のサーバに対して所定のネットワークを介してアクセスし、番組データをダウンロードすることが可能であり、録画再生装置１のＣＰＵ１０は、かかる取得の動作を、例えば後述するメイン処理（図６）のステップＡ２３において行うようになされている。
【００５１】
予約データエリア１７５は、録画予約に係る番組のデータ（以下、予約データと呼ぶ。）を格納するためのデータテーブルである。例えば図４にそのデータ構成例を示すように、予約データは番組データと同様の番組データ項目を有している。本実施の形態においては、ＣＰＵ１０がＥＰＧデータエリア１７４から１つの番組データを予約データエリア１７５へコピーすることにより、１つの予約データを生成するようになされている。
【００５２】
更に、１７５ａはその予約操作を行ったユーザの識別コードが書き込まれるエリアである。予約時に撮像手段２００によって撮影された画像から予約操作を行ったユーザが誰であるかを認識してそのユーザの識別コードを書き込むものである。予約時にユーザが識別コードを入力することもできる。
【００５３】
録画データエリア１７６は、音声映像記録部１５の各音声映像データに係る番組名等の管理情報でなるデータ（以下、録画データと呼ぶ。）を格納するためのデータテーブルである。例えば図５にそのデータ構成例を示すように、録画データは、番組データ及び予約データと同様の番組データ項目と、対応する音声映像データのファイル番号を表す項目「音声映像データＩＤ」を有している。
【００５４】
この場合、録画が行われ音声映像データが新規に作成される際に、ＣＰＵ１０が当該音声映像データに対応付けて新規に録画データを作成し、その録画データの番組データ項目に番組データ又は予約データの番組データ項目をコピーするようになされている。
【００５５】
更に、１７６ａは視聴フラグエリアであって、その番組をどのユーザ（ユーザ識別コードＡ，Ｂ，Ｃ，・・・）が、どれくらい視聴したかを示す情報が書き込まれる。これは、撮像部２００により録画番組の再生時に視聴者を撮影し、認識して、視聴していた人数及びユーザを識別して書き込まれるものである。１７６ｂは全てのユーザがその番組を１００％視聴したとみなされるときに書き込まれる視聴完了フラグエリアであり、その番組を消去してよいかを示すものである。視聴完了フラグが書き込まれた番組を自動削除するか、ユーザに削除をうながすか、あるいは消去不可プロテクトするかを製品仕様に応じて決めることができる。消去不可プロテクトとは、録画番組を他のユーザがうっかり消去してしまうことを防止するために、例えば全員が試聴完了していない番組は消去できないように設定しておくことである。
【００５６】
メイン処理プログラム１７ｃは、録画再生装置１の全体動作の処理であるメイン処理に係るプログラムである。録画再生装置１の電源が投入されると、ＣＰＵ１０は、所定の初期プログラムにより、まずこのメイン処理プログラム１７ｃを実行することにより、本実施の形態のメイン処理を開始し、以降、電源が切断されるまでの間このメイン処理を行うようになされている。
【００５７】
また、ＣＰＵ１０はこのメイン処理における必要に応じて、視聴処理プログラム１７ｄ、録画設定処理プログラム１７ｅ、録画処理プログラム１７ｆ、再生処理プログラム１７ｇ及びチャンネル変更処理プログラム１７ｉを実行することにより、ユーザのＴＶ視聴に係る視聴処理、録画予約に係る録画設定処理、本実施の形態の録画動作に係る録画処理、本実施の形態の再生動作に係る再生処理及びユーザのチャンネル変更の操作に係るチャンネル変更処理を行うようになされている。
【００５８】
更にＣＰＵ１０は、再生処理における必要に応じて、録画データ表示処理プログラム１７ｈを実行することにより、録画データの内容を表示する録画データ表示処理を行うようになされている。
【００５９】
更にＣＰＵ１０は、撮像部２００から送られてくる撮影画像の認識や、その認識結果に基づく予約データエリア１７５や録画データエリア１７６の更新処理も行う。すなわち、１７ｊは撮影認識プログラムであり、撮像部２００を起動し、被写体を撮影させ、撮影した画像データを取り込み、それに写っていた操作者若しくは視聴者の数または人物（ユーザ）を認識する。
【００６０】
また、人物認識を容易にするため、予め、初期設定時に、ユーザを撮像部２００撮影して登録しておくことができる。例えば使用が予定される父（Ａ）、母（Ｂ）、息子（Ｃ）、娘（Ｄ）の４人を登録しておけば、撮影した画像データから、この４人の誰に近いかだけを認識すればよいから認識は容易になる（後述するステップＡ１２参照）。なお、この種の画像認識のアルゴリズムは色々知られており、ここでは詳述しない。
【００６１】
次に、かかる録画再生装置１において、ＣＰＵ１０がこれら各処理プログラムを実行することにより実現される動作について、図６〜図１８に示すフローチャートを用いて詳細に説明する。
【００６２】
図６は、本実施の形態の録画再生装置１のメイン処理を表したフローチャートである。録画再生装置１の電源が投入されると、ＣＰＵ１０は、メモリ部１７Ａのメイン処理プログラム１７ｃを実行することにより本実施の形態のメイン処理を開始し、以降、電源が切断されるまでの間このメイン処理を行う。
このメイン処理において、ＣＰＵ１０はまず、録画再生装置１の初期化（イニシャライズ）を行う（ステップＡ１１）。具体的には、録画再生装置１の各種機能の設定を初期化する。本実施の形態においては、ＣＰＵ１０はかかる初期化の１つとして、フラグ変数部１７１の各フラグ変数のクリア（値を０とすること）を行う。
【００６３】
そしてそれ以降、ＣＰＵ１０は、視聴処理（ステップＡ１３）、録画設定処理（ステップＡ１５）、録画処理（ステップＡ１７）、再生処理（ステップＡ１９）、チャンネル変更処理（ステップＡ２１）及びその他の処理（ステップＡ２３）を行いステップＡ１３へ移行する。即ちＣＰＵ１０は、本処理を開始すると電源が切断されるまでの間、このステップＡ１３〜Ａ２３を繰り返し行う。
【００６４】
この場合、ステップＡ１３〜Ａ２１の各処理は、後に詳述するように、所定のスイッチがオンされた場合に録画再生装置１を所定の動作モードへ移行する処理と、所定の動作モードにおいて行われる処理とで構成されている。従って、本処理は全体として、繰り返し行われるステップＡ１３〜Ａ２３の中で所定の操作を並列的に待ち受けるような処理となっている。
【００６５】
ステップＡ１２は録画再生装置１を購入したとき最初だけに実行されるものであり、この装置の使用が予定される家族を予め登録しておくステップである。すなわち、人物認識を容易にするため、予め、初期設定時に、ユーザを撮像部２００で撮影して登録しておくものである。例えば使用が予定される父（Ａ）、母（Ｂ）、息子（Ｃ）、娘（Ｄ）の４人を登録しておけば、撮影した画像データから、この４人の誰に近いかだけを認識すればよいから認識は容易になる。このステップ１２Ａは初期設定時のみ実行し、常時はスキップされる。例えばＴＶチャンネルの地域による初期設定と同様であり、後日再登録することも可能である。
【００６６】
また、本実施の形態の場合、ＣＰＵ１０は、ステップＡ１７の録画処理として、後に図１１〜図１４を用いて詳述する録画処理を、ステップＡ１９の再生処理として、後に図１５〜図１８を用いて詳述する再生処理を、それぞれ行う。
【００６７】
また、ステップＡ２３においてＣＰＵ１０は、ＥＰＧデータエリア１７４の番組データの更新を行うこととする。この場合、例えば、ステップＡ２３は、番組データの受信に成功するとＥＰＧデータエリア１７４を更新する旨の一連の処理を含んでおり、番組データが定期的に配信される度に、ＣＰＵ１０は番組データの受信に成功してＥＰＧデータエリア１７４の番組データを更新する。
【００６８】
次に、本実施の形態の視聴処理について、これをフローチャートで表した図７を用いて詳細に説明する。ＣＰＵ１０は、上述のメイン処理において、メモリ部１７Ａの視聴処理プログラム１７ｄを実行することにより、同図に示す視聴処理を行う。
【００６９】
視聴処理を開始すると、まずＣＰＵ１０は、視聴スイッチ１２１がオンされたか否かを判別する（ステップＢ１１）。
視聴スイッチ１２１がオンされた場合（ステップＢ１１：Ｙｅｓ）、ＰＬＡＹＦが０である、即ち録画再生装置１が再生準備モードでないならば（ステップＢ１３：Ｙｅｓ）、ＣＰＵ１０は、まずＳＩＣＨＯＦを１としてＴＶ視聴モードへ移行する（ステップＢ１５）。
【００７０】
そしてＣＰＵ１０は、ＴＶ回路部１３からの出力が表示部１６１及びスピーカ１６２を介して出力されるよう、音声映像出力部１６を切替制御し（ステップＢ１７）、更に表示部１６１及びスピーカ１６２を起動して本処理を終了する（ステップＢ１９）。
因みにこの場合、録画再生装置１は、ＴＶ視聴モードへ移行した状態で本処理を終了するから、ＣＰＵ１０は、再び本処理を開始するとステップＢ２３以降を行う（ステップＢ１１（Ｎｏ）→Ｂ２１（Ｙｅｓ）→Ｂ２３）。
【００７１】
一方、ステップＢ１３において録画再生装置１が再生準備モードならば（ステップＢ１３：Ｎｏ）、ＣＰＵ１０は何ら行わず本処理を終了する。即ち、再生準備モード中に視聴スイッチ１２１が押下操作された場合、当該押下操作を無視し、ＴＶ視聴モードへ移行することなく本処理を終了する。
【００７２】
ステップＢ１１において、視聴スイッチ１２１がオンされていない場合（ステップＢ１１：Ｎｏ）、ＣＰＵ１０は、ＳＩＣＨＯＦが１、即ち録画再生装置１がＴＶ視聴モードであるか否かを判別する（ステップＢ２１）。
【００７３】
録画再生装置１がＴＶ視聴モードである場合（ステップＢ２１：Ｙｅｓ）、再生準備モードでなければ（ステップＢ２３：Ｙｅｓ）、ＣＰＵ１０は、ＴＶ回路部１３からの映像データ及び音声データを表示部１６１及びスピーカ１６２へ出力して本処理を終了する（ステップＢ２５及びＢ２７）。ステップＢ２３において再生準備モードの場合（ステップＢ２３：Ｎｏ）、即ちＴＶ視聴モードの状態で再生準備モードへ移行したような場合、映像データ及び音声データの出力を行わない。
【００７４】
因みにこの場合、録画再生装置１は、ＴＶ視聴モードで本処理を終了するから、ＣＰＵ１０は、再び本処理を開始するとステップＢ２３以降を行う（ステップＢ１１（Ｎｏ）→Ｂ２１（Ｙｅｓ）→Ｂ２３）。即ち、上述のステップＢ２３〜Ｂ２７が繰り返し行われることにより、ＴＶ回路部１３からの信号が表示部１６１及びスピーカ１６２から出力され続ける。
【００７５】
一方、ステップＢ２３において録画再生装置１が再生準備モードならば（ステップＢ２３：Ｎｏ）、ＣＰＵ１０は何ら行わず本処理を終了する。即ち、録画再生装置１がＴＶ視聴モード中に再生準備モードへ移行した場合は、再生準備モードが終了するまでの間ＴＶ回路部１３からの信号の出力を停止する。
ステップＢ２１において、録画再生装置１がＴＶ視聴モードでない場合（ステップＢ２１：Ｎｏ）、ＣＰＵ１０は何ら行わず本処理を終了する。
【００７６】
かくして本処理によれば、ユーザは視聴スイッチ１２１をオンして録画再生装置１をＴＶ視聴モードへ切替え、ＴＶ視聴を行うことができる。
【００７７】
次に、本実施の形態のチャンネル変更処理について、これをフローチャートで表した図８を用いて詳細に説明する。ＣＰＵ１０は、上述のメイン処理において、メモリ部１７Ａのチャンネル変更処理プログラム１７ｉを実行することにより、同図に示すチャンネル変更処理を行う。
【００７８】
チャンネル変更処理を開始すると、まずＣＰＵ１０は、チャンネル指定キー部１２ｃ等によるチャンネル変更の操作（以下、チャンネル変更操作と呼ぶ。）がなされたか否かを判断し（ステップＢ３１）、なされていなければ（ステップＢ３１：Ｎｏ）本処理を終了する。
チャンネル変更操作がなされた場合（ステップＢ３１：Ｙｅｓ）、ＣＰＵ１０は、そのチャンネル変更操作がビデオ回路部１４において受信中のチャンネルである録画チャンネルに対してなされたものであるか否かを判別する（ステップＢ３３）。
【００７９】
チャンネル変更操作が録画チャンネルに対してなされたものである場合（ステップＢ３３：Ｙｅｓ）、ＣＰＵ１０は、録画モードでない場合に限り、そのチャンネル変更操作に係るチャンネルである変更チャンネルをメモリ部１７Ａの録画チャンネル１７２へ格納して本処理を終了する（ステップＢ３５及びＢ３７）。即ち録画モード中のチャンネル変更操作を受け付けない。
【００８０】
一方、チャンネル変更操作が録画チャンネルに対してなされたものでない場合（ステップＢ３３：Ｎｏ）、即ち、これはＴＶ回路部１３において受信中のチャンネルに対してチャンネル変更操作がなされたことを意味しており、このときＣＰＵ１０は、変更チャンネルをメモリ部１７Ａの視聴チャンネル１７３へ格納して本処理を終了する（ステップＢ３９）。
【００８１】
かくして本処理によれば、ＴＶ回路部１３において受信中のチャンネルが変更されると視聴チャンネル１７３へ、録画モード中でないときに録画チャンネルが変更されると録画チャンネル１７２へ、それぞれ変更チャンネルが格納される。
【００８２】
次に、本実施の形態の録画設定処理について、これをフローチャートで表した図９及び図１０（Ａ）及び図１０（Ｂ）を用いて詳細に説明する。ＣＰＵ１０は、上述のメイン処理において、メモリ部１７Ａの録画設定処理プログラム１７ｅを実行することにより、図９及び図１０（Ａ）に示す録画設定処理を行う。
【００８３】
録画設定処理を開始すると、まずＣＰＵ１０は、録画予約スイッチ１２２がオンされたか否かを判別する（ステップＣ１１）。
録画予約スイッチ１２２がオンされた場合（ステップＣ１１：Ｙｅｓ）、ＣＰＵ１０は、ステップＣ１３へ移行する。
【００８４】
ここでＣＰＵ１０は、ＲＥＣＦ、ＰＬＡＹＦ及びＴＡＩＫＩＦが何れも０である、即ち録画再生装置１が録画モード、再生準備モード及び録画待機モードの何れでもないか否かを判別し（ステップＣ１３）、録画再生装置１が録画モード、再生準備モード及び録画待機モードの何れでもない場合（ステップＣ１３：Ｙｅｓ）、ＰＲＧＦを１として録画再生装置１を予約モードへ移行する（ステップＣ１５）。
【００８５】
次いでＣＰＵ１０は、表示部１６１が稼動していなければこれを起動し（ステップＣ１７及びＣ１９）、バス１１を介したＣＰＵ１０側の回路からの出力が表示部１６１及びスピーカ１６２を介して出力されるよう、音声映像出力部１６を切替制御する（ステップＣ２１）。次いでＣＰＵ１０は、メモリ部１７ＡのＥＰＧデータエリア１７４を参照し、ＥＰＧデータエリア１７４の番組データに基づくＥＰＧ番組表を表示部１６１へ表示して本処理を終了する（ステップＣ２３）。
【００８６】
この場合、ＥＰＧ番組表は、例えば図２０に示すような、ＥＰＧデータエリア１７４の各ＥＰＧデータを、時間軸及びチャンネル番号の軸を有する一覧表状に表した表ｘ１となっている。この表においては、放送チャンネル及び時間帯で区切られて表される１つの「枠」（例えば、枠ｘ１１）が１つの番組に対応し、即ち、ＥＰＧデータエリア１７４の１つの番組データに対応している。
【００８７】
また、同図に示すように、このＥＰＧ番組表ｘ１は、番組を選択するためのカーソルｘ１２を備え、ユーザがＥＰＧ番組表ｘ１上でこのカーソルｘ１２を、カーソルキー部１２ａを用いて移動させる等の操作を適宜行うことにより番組を選択できるようになされている。
因みに、ＣＰＵ１０がステップＣ２３を処理して本処理を終了すると、録画再生装置１は予約モードで本処理を終了することとなるから、再び本処理を開始すると、ＣＰＵ１０はステップＣ３３（図１０（Ａ））以降を行う（ステップＣ１１（Ｎｏ）→Ｃ２１（Ｙｅｓ）→Ｃ３３）。
【００８８】
一方ステップＣ１３（図９）において、録画再生装置１が録画モード、再生準備モード又は録画待機モードの何れかである場合（ステップＣ１３：Ｎｏ）、ＣＰＵ１０は本処理を終了する。即ち、録画モード、再生準備モード又は録画待機モードの何れかである場合は、録画予約スイッチ１２２がオンされても予約モードへ移行しない。
【００８９】
また、ステップＣ１１において、録画予約スイッチ１２２がオンされていない場合（ステップＣ１１：Ｎｏ）、ＣＰＵ１０は、ステップＣ３１（図１０（Ａ））へ移行する。
【００９０】
そして図１０（Ａ）に示すように、ステップＣ３１へ移行するとＣＰＵ１０は、ＰＲＧＦが１、即ち録画再生装置１が予約モードであるか否かを判別する（ステップＣ３１）。
録画再生装置１が予約モードである場合（ステップＣ３１：Ｙｅｓ）、ＣＰＵ１０は、ＥＰＧ番組表ｘ１（図２０）を表示した状態で、ステップＣ３３へ移行する。
【００９１】
ＣＰＵ１０はステップＣ３３へ移行すると、カーソルキー部１２ａ等による番組選択の操作がなされたか否かを判断し（ステップＣ３３）、なされていなければ（ステップＣ３３：Ｎｏ）決定スイッチ１２ｂがオンされたか否かを判断し（ステップＣ３７）、なされていなければ（ステップＣ３７：Ｎｏ）予約解除スイッチ１２３がオンされたか否かを判断し（ステップＣ４３）、なされていなければ（ステップＣ４３：Ｎｏ）本処理を終了する。
【００９２】
そしてこの場合、録画再生装置１は予約モードで本処理を終了することとなるから、再び本処理を開始すると、ＣＰＵ１０はステップＣ３３以降を行う（ステップＣ１１（Ｎｏ）→Ｃ２１（Ｙｅｓ）→Ｃ３３）。従ってＣＰＵ１０は、ユーザにより録画対象の番組が選択されるのを待ち受ける（以下、この待ち受けを番組選択待ち受けと呼ぶ。）。
【００９３】
この番組選択待ち受けにおいて、番組選択の操作がなされると（ステップＣ３３：Ｙｅｓ）、ＣＰＵ１０は、当該操作に応じてＥＰＧ番組表ｘ１上のカーソルｘ１２を移動させて、１つの番組を選択する（ステップＣ３５）。
【００９４】
また、この番組選択待ち受けにおいて、決定スイッチ１２ｂがオンされると（ステップＣ３７：Ｙｅｓ）、ＣＰＵ１０は、ＥＰＧ番組表ｘ１上において選択されている番組としてカーソルｘ１２が表示されている番組に対応する番組データ（以下、選択番組データと呼ぶ。）を、メモリ部１７Ａの予約データエリア１７５へストアする（ステップＣ３９）。即ちＣＰＵ１０は、選択番組データを予約データエリア１７５の新たな予約データとしてコピーする。
【００９５】
そしてＣＰＵ１０は、ＴＡＩＫＩＦを１として録画再生装置１を録画待機モードへ移行する。従って、この番組選択待ち受けにおいて決定スイッチ１２ｂをオンする操作（以下、録画予約確定と呼ぶ。）が一度以上行われると、録画再生装置１は録画待機モードへ移行する。
【００９６】
また、この番組選択待ち受けにおいて、予約解除スイッチ１２３がオンされると（ステップＣ４３：Ｙｅｓ）、ＣＰＵ１０はまずＰＲＧＦを０として、予約モードを終了する。
そしてＣＰＵ１０は、ＴＶ回路部１３からの出力が表示部１６１及びスピーカ１６２を介して出力されるよう音声映像出力部１６を切替制御し（ステップＣ４７）、ＳＩＣＨＯＦが０でない、即ち録画再生装置１がＴＶ視聴モードであるならば表示部１６１を停止させて本処理を終了する（ステップＣ４９及びＣ５１）。
【００９７】
このように、この番組選択待ち受けは予約解除スイッチ１２３がオンされるまで行われ、その間、録画予約確定が行われる度、選択された番組に対応する番組データが新たな予約データとして予約データエリア１７５へコピーされる。
【００９８】
かくして本処理によれば、ユーザは録画予約スイッチ１２２をオンして録画再生装置１を予約モードへ切替え、ＥＰＧ番組表ｘ１上において録画予約に係る番組の録画予約確定を行うことができる。
【００９９】
予約確定後、撮影認識プログラム１７ｊによる撮影認識処理に移行し（図１０（Ｂ））、ステップＣ５３にて撮影処理を行う。すなわち、撮像部２００により被写体すなわち録画予約操作を行ったユーザを撮影し、撮影した画像データをＣＰＵ１０へ送る。そしてステップＣ５５で認識処理を行う。画像認識のアルゴリズムは各種知られており、ここでは詳述しない。現在は録画処理が決定した段階であるので、写っている人物は録画予約を行ったユーザであると想定できる。そこで録画データエリア１７５のユーザの識別コードが書き込まれるエリア１７５ａに認識されたユーザ、例えばＡ（父）の識別コードを書き込む。ここでは予約確定後に撮影を開始したが、予約操作開始とともに撮影を開始してもよい。また、ユーザ自身がユーザ識別コードを入力することも可能である。
【０１００】
次に、本実施の形態の録画処理である録画処理について、これをフローチャートで表した図１１〜図１４を用いて詳細に説明する。ＣＰＵ１０は、上述のメイン処理（図６）のステップＡ１７において、メモリ部１７Ａの録画処理プログラム１７ｆを実行することにより、図１１〜図１４に示す録画処理を行う。
【０１０１】
録画処理を開始すると、まずＣＰＵ１０は、録画スイッチ１２４がオンされたか否かを判別する（ステップＤ１１）。
録画スイッチ１２４がオンされた場合（ステップＤ１１：Ｙｅｓ）、ＣＰＵ１０は、ステップＤ１３へ移行する。
【０１０２】
ここでＣＰＵ１０は、ＰＲＧＦ、ＲＥＣＦ及びＰＬＡＹＦが何れも０である、即ち録画再生装置１が予約モード、録画モード及び再生準備モードの何れでもないか否かを判別し（ステップＤ１３）、録画再生装置１が予約モード、録画モード及び再生準備モードの何れでもない場合（ステップＤ１３：Ｙｅｓ）、ビデオ回路部１４を起動する（ステップＤ１５）。
【０１０３】
次いでＣＰＵ１０は、現時刻及び録画チャンネル１７２に基づいて、メモリ部１７ＡのＥＰＧデータエリア１７４から、対応する番組データを取得する（ステップＤ１７）。この場合ＣＰＵ１０は、まず計時部１８より現時刻を取得し、録画チャンネル１７２に対応する番組データのうち、例えば現時刻において放送中の番組に対応するものをＥＰＧデータエリア１７４から取得する。
【０１０４】
次いでＣＰＵ１０は、取得した番組データを、録画データエリア１７６へストアする（ステップＤ１９）。この場合ＣＰＵ１０は、録画データエリア１７６において録画データを新規に作成し、その録画データ（以下、新規録画データと呼ぶ。）の番組データ項目に、ＥＰＧデータエリア１７４から取得した番組データをコピーする。
【０１０５】
次いでＣＰＵ１０は、表示部１６１が稼動しているか否かを判別する（ステップＤ２１）。この場合ＣＰＵ１０は、音声映像出力部１６を介して表示部１６１が稼動しているか否かを判別することが可能である。
表示部１６１が稼動している場合（ステップＤ２１：Ｙｅｓ）、ＣＰＵ１０は、メモリ部１７Ａの視聴チャンネル１７３と録画チャンネル１７２とが同じ値であるか否かを判別する（ステップＤ２３）。
【０１０６】
視聴チャンネル１７３と録画チャンネル１７２とが同じ値である場合（ステップＤ２３：Ｙｅｓ）、ＣＰＵ１０は、録画データエリア１７６の対応する録画データに視聴済の旨のデータを付加する（ステップＤ２５）。この場合、新規録画データの視聴フラグを「視聴済」とする。
【０１０７】
一方、表示部１６１が稼動していない場合（ステップＤ２１：Ｎｏ）、及び、表示部１６１が稼動していても視聴チャンネル１７３と録画チャンネル１７２とが同じ値でない場合（ステップＤ２３：Ｎｏ）、ＣＰＵ１０は、録画データエリア１７６の対応する録画データに未視聴の旨のデータを付加する（ステップＤ２７）。この場合、新規録画データの視聴フラグを「未視聴」とする。
【０１０８】
即ちＣＰＵ１０は、表示部１６１に表示しているチャンネルと同じチャンネルの番組を録画する、言い換えれば録画するチャンネルと同じチャンネルを表示部１６１に表示する場合、かかる録画により「既に視聴された」音声映像データを生成するから、視聴済であること表す値「視聴済」を、一方、そうでない場合、生成される音声映像データが未視聴であることを表す値「未視聴」を、それぞれ新規録画データの視聴フラグの値として記録する。
【０１０９】
このようにＣＰＵ１０は、録画するチャンネルと同じチャンネルを表示部１６１に表示するか否かに応じて、視聴済であるか未視聴であるか（以下、視聴状態と呼ぶ。）を表す値を決定し、録画データの視聴フラグとして記録する。つまり見ながら録画すれば同時に試聴済みとなるわけであるが、これはユーザ別に対応しており、ユーザＡが見ながら録画すればユーザＡは試聴済みとなるがユーザＢ、Ｃ、Ｄは未試聴である。
【０１１０】
次いでＣＰＵ１０は、音声映像記録部１５に空の音声映像データ（以下、新規音声映像データと呼ぶ。）を新たに作成し、この新規音声映像データの識別子である、例えばファイル番号を、新規録画データの音声映像データＩＤとして記録する（ステップＤ２９）。
【０１１１】
次いでＣＰＵ１０は、ＲＥＣＦを１として録画再生装置１を録画モードへ移行し（ステップＤ３１）、ＴＡＩＫＩＦを１として録画再生装置１を録画待機モードへ移行し（ステップＤ３３）、ステップＤ６１（図１３）へ移行する。
【０１１２】
また、ステップＤ１３において録画再生装置１が予約モード、録画モード又は再生準備モードの何れかである場合（ステップＤ１３：Ｎｏ）、ＣＰＵ１０は本処理を終了する。即ち、予約モードや録画モードや再生準備モードである場合は、録画スイッチ１２４がオンされても、かかる操作を無視し、録画に係る処理等を新たには何ら行わない。
【０１１３】
なお、この場合、録画スイッチ１２４のオン操作を無視することにより予約モードや録画モードや再生準備モードにおける動作を優先するようにしているが、このようにする替わりに、例えばステップＤ１３において、録画スイッチ１２４のオン操作がなされるとＰＲＧＦ、ＲＥＣＦ及びＰＬＡＹＦを全て０として予約モード、録画モード及び再生準備モードを強制的に終了するようにして、録画スイッチ１２４のオン操作に係る動作を優先するようにしても良い。
【０１１４】
また、ステップＤ１１において録画スイッチ１２４がオンされていない場合（ステップＤ１１：Ｎｏ）、ＣＰＵ１０はステップＤ４１（図１２）へ移行する。
そして図１２に示すように、ステップＤ４１へ移行するとＣＰＵ１０は、ＴＡＩＫＩＦが１、即ち録画再生装置１が録画待機モードであるか否かを判別する（ステップＤ４１）。
録画再生装置１が録画待機モードである場合（ステップＤ４１：Ｙｅｓ）、ＣＰＵ１０は、計時部１８を介して現時刻を取得する（ステップＤ４３）。
【０１１５】
次いでＣＰＵ１０は、ＲＥＣＦが０である、即ち録画再生装置１が録画モードでないか否かを判別し（ステップＤ４５）、録画再生装置１が録画モードである場合（ステップＤ４５：Ｎｏ）、ＣＰＵ１０はステップＤ８１（図１４）へ移行する。
【０１１６】
一方、録画再生装置１が録画モードでない場合（ステップＤ４５：Ｙｅｓ）、ＣＰＵ１０は、予約データエリア１７５に予約データがあるか否かを判別する（ステップＤ４７）。
予約データエリア１７５に予約データがある場合（ステップＤ４７：Ｙｅｓ）、ＣＰＵ１０は、開始時刻が現時刻である予約データが予約データエリア１７５にあるか否かを判別し（ステップＤ４９）、開始時刻が現時刻である予約データがある場合（ステップＤ４９：Ｙｅｓ）、かかる予約データ（以下、開始予約データと呼ぶ。）の番組データ項目を録画データエリア１７６へストアする（ステップＤ５１）。
【０１１７】
この場合ＣＰＵ１０は、録画データエリア１７６において録画データを新規に作成し、その録画データである新規録画データの番組データ項目に、開始予約データの番組データ項目をコピーする。
【０１１８】
次いでＣＰＵ１０は、録画チャンネル１７２に番組データ項目中のチャンネル番号を格納して（ステップＤ５３）、ビデオ回路部１４を起動し（ステップＤ５５）、ビデオチューナ１４１に録画チャンネル１７２を供給し、録画チャンネル１７２の放送波を受信するように制御する（ステップＤ５７）。
【０１１９】
そしてＣＰＵ１０はステップＤ２１（図１１）へ移行し、表示部１６１に表示しているチャンネルと同じチャンネルの番組を録画する場合の録画データの視聴フラグを「視聴済」とし、そうでない場合の録画データの視聴フラグを「未視聴」とする処理（ステップＤ２１〜Ｄ３１）を行ってステップＤ６１（図１３）へ移行する。
【０１２０】
つまり予約録画が開始したとき見ているユーザは試聴済みとなるが、見ていないユーザは未試聴である。別途説明する画像認識処理により、そのときユーザＤ、Ｃが見ていたことが認識されるとユーザＢ、Ｃは試聴済みとなるが、ユーザＡ、Ｄは未試聴である。
【０１２１】
一方、ステップＤ４９において予約データエリア１７５に、開始時刻が現時刻である予約データがない場合（ステップＤ４９：Ｎｏ）、本処理を終了する。
即ち録画再生装置１は、録画モードでない録画待機モードであり、かつ予約データエリア１７５に予約データがある状態の場合、本処理において何れかの予約データの開始時刻が到来するのを待つように動作する。
【０１２２】
また、予約データエリア１７５に予約データがない場合（ステップＤ４５：Ｎｏ）や、録画再生装置１が録画待機モードでない場合（ステップＤ４１：Ｎｏ）、ＣＰＵ１０は本処理を終了する。
【０１２３】
次に、図１３に示すステップＤ６１〜Ｄ６５について説明する。
ステップＤ６１へ移行するとＣＰＵ１０は、ＲＥＣＦが１、即ち録画再生装置１が録画モードであるか否かを判別する（ステップＤ６１）。
【０１２４】
録画再生装置１が録画モードでない場合（ステップＤ６１：Ｎｏ）本処理を終了する。因みにこれは、録画データの終了時刻が到来する以前に録画モードを終了する操作がなされた場合の処理であり、この場合ＣＰＵ１０は、新たに録画スイッチ１２４がオンされない限り、録画動作を行うことなく録画データの終了時刻が到来するのを待ち受ける。
【０１２５】
一方、ステップＤ６１において録画再生装置１が録画モードである場合（ステップＤ６１：Ｙｅｓ）、ＣＰＵ１０は、ビデオ回路部１４から出力される映像データを音声映像記録部１５へストアし（ステップＤ６３）、音声データを音声映像記録部１５へストアして本処理を終了する（ステップＤ６５）。この場合ＣＰＵ１０は、ストアされた映像データ及び音声データを、新規音声映像データに追加記録するように制御する。
因みにこの場合、録画再生装置１は録画待機モード及び録画モードで本処理を終了するから、再び本処理を開始すると、ＣＰＵ１０はステップＤ８１（図１４）以降を行う（ステップＤ１１（Ｎｏ）→Ｄ４１（Ｙｅｓ）→Ｄ４５（Ｎｏ）→Ｄ８１）。
【０１２６】
そして図１４に示すように、ステップＤ８１へ移行するとＣＰＵ１０は、録画データの終了時刻と現時刻とが等しいか否かを判別する（ステップＤ８１）。この場合ＣＰＵ１０は、新規録画データの終了時刻とステップＤ４３において取得した現時刻とが等しいか否か、即ち、新規録画データの終了時刻が到来したか否かを判別する。
【０１２７】
録画データの終了時刻と現時刻とが等しい場合（ステップＤ８１：Ｙｅｓ）、ＣＰＵ１０は、ＲＥＣＦ及びＴＡＩＫＩＦを０とする（ステップＤ８３）。即ち録画モード及び録画待機モードを終了する。
次いでＣＰＵ１０は、ビデオ回路部１４を停止する（ステップＤ８５）。
【０１２８】
そしてＣＰＵ１０は、対応する予約データを消去して本処理を終了する（ステップＤ８７）。即ち、新規音声映像データに対応する開始予約データがある場合、当該予約データを予約データエリア１７５から消去する。
【０１２９】
一方、ステップＤ８１において録画データの終了時刻と現時刻とが等しくない場合（ステップＤ８１：Ｎｏ）、ＣＰＵ１０はステップＤ６１（図１３）へ移行し、映像データ及び音声データを音声映像記録部１５の新規音声映像データに追加記録する処理（ステップＤ６１〜Ｄ６５）を行って本処理を終了する。
【０１３０】
従ってＣＰＵ１０は、新規録画データの終了時刻が到来するまでの間、映像データ及び音声データを音声映像記録部１５の新規音声映像データに次々追加記録していくことにより１つの音声映像データを作成する録画の制御を行う。
【０１３１】
かくして本処理によれば、録画再生装置１は、録画スイッチ１２４がオンされるか、又は、何れかの予約データの開始時刻が到来すると、録画モードへ移行し、番組の終了時刻が到来するまでの間、映像データ及び音声データを音声映像記録部１５の新規音声映像データに次々追加記録していく録画動作を示す。
【０１３２】
そして録画モードへ移行する際は、新規音声映像データに対応する録画データである新規録画データが録画データエリア１７６に作成され、その録画データには、表示部１６１に表示しているチャンネルと同じチャンネルの番組が録画される場合、音声映像データが視聴済である旨としての「視聴済」の視聴フラグが記録され、一方そうでない場合、音声映像データが未視聴である旨としての「未視聴」の視聴フラグが記録される。これについても前述同様、ユーザ毎に処理される。
【０１３３】
次に、本実施の形態の再生処理である再生処理について、これをフローチャートで表した図１５〜図１８を用いて詳細に説明する。ＣＰＵ１０は、上述のメイン処理（図６）のステップＡ１９において、メモリ部１７Ａの再生処理プログラム１７ｇを実行することにより、図１５〜図１８に示す再生処理を行う。
【０１３４】
再生処理を開始すると、まずＣＰＵ１０は、再生スイッチ１２６がオンされたか否かを判別する（ステップＥ１１）。
再生スイッチ１２６がオンされた場合（ステップＥ１１：Ｙｅｓ）、ＣＰＵ１０はステップＥ１３へ移行する。
【０１３５】
ここでＣＰＵ１０は、ＲＥＣＦ及びＴＡＩＫＩＦが何れも０であるか否か、即ち録画再生装置１が録画モード又は録画待機モードの何れでもないか否かを判別し（ステップＥ１３）、録画再生装置１が録画モード又は録画待機モードの何れかである場合（ステップＥ１３：Ｎｏ）、本処理を終了する。即ち、録画モード又は録画待機モードの何れかである場合は、再生スイッチ１２６がオンされても再生準備モードへ移行せず、音声映像データの再生に係る処理は何ら行われない。ただしこれはあくまで一例であって、録画中であっても再生処理を実行するようにもできる。
【０１３６】
一方、録画再生装置１が録画モード又は録画待機モードの何れでもない場合（ステップＥ１３：Ｙｅｓ）、ＰＬＡＹＦを１として再生準備モードへ移行する（ステップＥ１５）。
次いでＣＰＵ１０は、表示部１６１が稼動していなければこれを起動し（ステップＥ１７及びＥ１９）、バス１１を介したＣＰＵ１０側の回路からの出力が表示部１６１及びスピーカ１６２を介して出力されるよう、音声映像出力部１６を切替制御する（ステップＥ２１）。
【０１３７】
次いでＣＰＵ１０は、録画データエリア１７６に録画データがあるか否かを判別し（ステップＥ２３）、録画データがない場合（ステップＥ２３：Ｎｏ）、即ちこれは音声映像記録部１５に音声映像データがないことを意味するから、音声映像データがない旨の警告を示した画面（例えば図２１に示す警告表示画面）を一定時間表示して（ステップＥ２５）、ステップＥ６３（図１７）へ移行する。
【０１３８】
一方、ステップＥ２３において、録画データエリア１７６に録画データがある場合（ステップＥ２３：Ｙｅｓ）、ＣＰＵ１０は、メモリ部１７Ａの録画データエリア１７６から録画データの１つとして、例えば最初の録画データを取得し（ステップＥ２７）、この取得した録画データについての情報を表示する録画データ表示処理を行ってステップＥ３１（図１６）へ移行する（ステップＥ２９）。
【０１３９】
この場合ＣＰＵ１０は、後述する録画データ表示処理（図１８）を行うことにより、例えば図２２に示すような、取得した録画データ（以下、取得中録画データと呼ぶ。）についての情報を示す録画データ表示画面ｘ３を表示する。
【０１４０】
同図に示すように、この録画データ表示画面ｘ３は、取得中録画データの番組データ及び視聴フラグをそれぞれ表す番組内容表示ｘ３１及び視聴情報表示ｘ３２を備えて構成されている。また、この録画データ表示画面ｘ３においては、取得中録画データの次や前の録画データについての情報が取得可能である旨の表示「次へ」ｘ３３や「前へ」ｘ３４が設けられ、例えばカーソルキー部１２ａによる所定の操作に応じて取得中録画データとは別の録画データについての情報を表示するようになされている。
【０１４１】
Ｘ３２の視聴情報表示は、ユーザ識別コード別に、視聴状態が表示される。すなわち、ユーザ毎に、未試聴か、試聴済みか、あるいは途中まで見たか（２０％とか５０％とか）が表示される。
【０１４２】
また、ステップＥ１１において再生スイッチ１２６がオンされていない場合（ステップＥ１１：Ｎｏ）、ＣＰＵ１０はステップＥ３１（図１６）へ移行する。
そして図１６に示すように、ステップＥ３１へ移行するとＣＰＵ１０は、ＰＬＡＹＦが１、即ち録画再生装置１が再生準備モードであるか否かを判別する（ステップＥ３１）。
【０１４３】
録画再生装置１が再生準備モードでない場合（ステップＥ３１：Ｎｏ）、ＣＰＵ１０は本処理を終了する。即ち、本処理においてＣＰＵ１０は、再生スイッチ１２６がオンされた場合及び再生準備モードである場合以外は、音声映像データの再生に係る処理を実質何ら行わない。
【０１４４】
一方、録画再生装置１が再生準備モードである場合（ステップＥ３１：Ｙｅｓ）、ＣＰＵ１０は、ＳＴＡＲＴＦが０である、即ち録画再生装置１が再生動作モードでないか否かを判別し（ステップＥ３３）、録画再生装置１が再生動作モードである場合（ステップＥ３３：Ｎｏ）、ステップＥ７１（図１８）へ移行する。
【０１４５】
録画再生装置１が再生動作モードでない場合（ステップＥ３３：Ｙｅｓ）、ＣＰＵ１０は、ステップＥ３５へ移行する。この場合ＣＰＵ１０は、取得した録画データについての録画データ表示画面ｘ３（図２２参照）を表示部１６１に表示した状態でステップＥ３５へ移行する。
【０１４６】
次いでＣＰＵ１０は、録画データエリア１７６に別の録画データがあるか否かを判別する（ステップＥ３５）。即ちＣＰＵ１０は、録画データ表示画面ｘ３にその情報を表示している取得中録画データとは別の録画データが録画データエリア１７６にあるか否かを判別する。
【０１４７】
別の録画データがある場合（ステップＥ３５：Ｙｅｓ）、ＣＰＵ１０は、別の録画データを指定する所定の操作がなされたか否かを判別する（ステップＥ３７）。即ち、録画データ表示画面ｘ３において次や前の録画データを指定する操作がなされたか否かを判別する。別の録画データを指定する操作がなされた場合（ステップＥ３７：Ｙｅｓ）、ＣＰＵ１０は、メモリ部１７Ａの録画データエリア１７６から取得中録画データとは別の、即ち操作によって指定された次又は前の録画データを取得する（ステップＥ３９）。
【０１４８】
次いでＣＰＵ１０は、この取得した録画データについて録画データ表示処理を行い、ステップＥ４３へ移行する（ステップＥ４１）。即ち、別の録画データとして取得したその録画データを新たな取得中録画データとして、録画データ表示画面ｘ３上に当該取得中録画データについての情報を表示する。
【０１４９】
一方、別の録画データを指定する操作がなされていない場合（ステップＥ３７：Ｎｏ）や、別の録画データがない場合（ステップＥ３５：Ｎｏ）、ＣＰＵ１０はステップＥ４３へ移行する。
【０１５０】
次いでＣＰＵ１０は、再生開始スイッチ１２８がオンされたか否かを判別し（ステップＥ４３）、オンされた場合（ステップＥ４３：Ｙｅｓ）、ＳＴＡＲＴＦを１として再生動作モードへ移行し（ステップＥ４５）、取得中録画データに対応する音声映像データを指定してステップＥ６１（図１７）へ移行する（ステップＥ４７）。即ち、この場合ＣＰＵ１０は、録画データの音声映像データＩＤで指定される音声映像データの、例えばアドレスを音声映像記録部１５から取得する。
【０１５１】
また、再生開始スイッチ１２８がオンされていない場合（ステップＥ４３：Ｎｏ）、ＣＰＵ１０はステップＥ６１（図１７）へ移行する。
そして図１７に示すように、ステップＥ６１へ移行するとＣＰＵ１０は、再生解除スイッチ１２７がオンされたか否かを判別する（ステップＥ６１）。
再生解除スイッチ１２７がオンされていない場合（ステップＥ６１：Ｎｏ）、ＣＰＵ１０は本処理を終了する。
【０１５２】
この場合、録画再生装置１は再生準備モードで本処理を終了するから、再び本処理を開始すると、ＣＰＵ１０はステップＥ３３（図１６）以降を行う（ステップＥ１１（Ｎｏ）→Ｅ３１（Ｙｅｓ）→Ｅ３３）。更に、録画再生装置１が再生動作モードでない場合、ＣＰＵ１０は続けてステップＥ３５以降を行う。
【０１５３】
従って、本処理において録画再生装置１は、再生準備モードへ移行すると、録画データ表示画面ｘ３を表示部１６１に表示した状態で、再生開始スイッチ１２８へのオン操作と、再生解除スイッチ１２８へのオン操作と、別の録画データがあるならば別の録画データの指定とを待ち受ける動作状態を示す（以下、この待ち受けを再生操作待ち受けと呼ぶ。）。
【０１５４】
そして、再生開始スイッチ１２８がオンされると、ＣＰＵ１０は録画再生装置１を再生動作モードへ移行し、再び本処理を開始するとステップＥ７１（図１８）以降を行う（ステップＥ１１（Ｎｏ）→Ｅ３１（Ｙｅｓ）→Ｅ３３（Ｎｏ）→Ｅ７１）。
【０１５５】
また、この再生操作待ち受けにおいて再生解除スイッチ１２７がオンされた場合（ステップＥ６１：Ｙｅｓ）、及び、ステップＥ２３（図１５）において録画データがないことによりステップＥ６３へ移行してきた場合、ＣＰＵ１０は、まずＰＬＡＹＦを０として再生準備モードを終了する（ステップＥ６３）。
【０１５６】
次いでＣＰＵ１０は、ＳＩＣＨＯＦが１、即ち録画再生装置１がＴＶ視聴モードであるならば（ステップＥ６５：Ｙｅｓ）、ＴＶ回路部１３からの出力が表示部１６１及びスピーカ１６２を介して出力されるよう音声映像出力部１６を切替制御し（ステップＥ６７）、一方、録画再生装置１がＴＶ視聴モードでなければ表示部１６１を停止させて（ステップＥ６９）、本処理を終了する。
【０１５７】
即ち、再生開始スイッチ１２８がオンされた際にユーザがＴＶ視聴中であったか否か（表示部１６１にＴＶ回路部１３からの映像を表示していたか表示部１６１がオフであったか）に応じて、表示部１６１の状態を、再生開始スイッチ１２８がオンされる以前の状態へ戻す。
このように再生操作待ち受けにおいて再生解除スイッチ１２７がオンされると、録画再生装置１は再生準備モードを終了する動作を示す。
【０１５８】
次に、録画再生装置１が再生動作モードの場合に行われるステップＥ７１〜Ｅ８３について、図１８を用いて説明する。
ステップＥ７１へ移行するとＣＰＵ１０は、現在指定（アドレス取得）している音声映像データに、再生すべき部分が未だあるか否かを判別する（ステップＥ７１）。
【０１５９】
音声映像データに再生すべき部分が未だある場合（ステップＥ７１：Ｙｅｓ）、ＣＰＵ１０は、まず音声映像記録部１５から音声映像データを読み出し（ステップＥ７３）、次いで音声映像データをデコードして得られる映像データである録画映像データを表示部１６１へ（ステップＥ７５）、デコードして得られる音声データである録画音声データをスピーカ１６２へ（ステップＥ７７）、それぞれ出力するよう音声映像出力部１６を制御する。
【０１６０】
そして、撮影認識処理を行う（ステップＥ７８）。撮像部２００を起動し、被写体画像を撮影してＣＰＵ１０に取り込み、撮影認識プログラム１７ｊにより、撮影画像データに写っている人物の人数及び予め登録されたユーザＡ、Ｂ、Ｃ、Ｄのうち誰かを認識し、対応する情報を生成する。この種の認識アルゴリズムは色々知られているのでここでは詳述しない。そして認識されたユーザが再生した音声映像データを見たと想定し、録画データエリア１７６の１７６ａを更新する。
【０１６１】
すなわち、視聴したユーザがどれくらい視聴したかを示す情報を計算する。１００％に達したときは、後述するステップＥ９１で視聴済みとしてそのユーザに視聴済みフラグを立てる。また、予め登録された人数のうち何人が視聴済みになったかを計算する。全員が視聴済みとなったときは視聴完了フラグ１７６ｂを立てる。撮影開始はこのタイミングに限らずステップＥ１１で再生ＳＷオンが検出されたときからでもよい。そして再生終了とともに撮影を終了する。
【０１６２】
次いでＣＰＵ１０は、再生停止スイッチ１２９がオンされたか否かを判別する（ステップＥ８９）。
再生停止スイッチ１２９がオンされていない場合（ステップＥ８９：Ｎｏ）、ＣＰＵ１０は本処理を終了する。
【０１６３】
因みにこの場合、再生動作モードで本処理を終了するから、ＣＰＵ１０は、再び本処理を開始するとステップＥ７１以降を行い（ステップＥ１１（Ｎｏ）→Ｅ３１（Ｙｅｓ）→Ｅ３３（Ｎｏ）→Ｅ７１）、かくして、音声映像データに再生すべき部分が未だあり（ステップＥ７１：Ｙｅｓ）、再生停止スイッチ１２９がオンされない（ステップＥ８９：Ｎｏ）限り、音声映像データを次々出力する再生の処理を行い続ける。
【０１６４】
一方、再生停止スイッチ１２９がオンされた場合（ステップＥ８９：Ｙｅｓ）、ＣＰＵ１０は、ＳＴＡＲＴＦを０として再生動作モードを終了し（ステップＥ９３）、ステップＥ２７（図１５）へ移行する。
【０１６５】
また、音声映像データに再生すべき部分がなくなった場合（ステップＥ７１：Ｎｏ）、ＣＰＵ１０はまず、その音声映像データに対応する録画データの視聴フラグを「視聴済」とする（ステップＥ９１）。これは前述したようにユーザ別に計算される。即ち、再生中の音声映像データの内容を全て再生すると、ステップＥ４７において音声映像データを指定した録画データ、即ち、その音声映像データＩＤが音声映像データのファイル番号と一致する録画データを視聴済みとしてそのユーザに視聴済みフラグを立てる。また、予め登録された人数の全員が視聴済みとなったときは視聴完了フラグ１７６ｂを立てる。
【０１６６】
次いでＣＰＵ１０は、ＳＴＡＲＴＦを０として再生動作モードを終了し（ステップＥ９３）、ステップＥ２７（図１５）へ移行する。
そして、このように再生停止スイッチ１２９がオンされ、又は、音声映像データに再生すべき部分がなくなり、再生動作モードを終了してステップＥ２７へ移行すると、ＣＰＵ１０は、ステップＥ２７及びＥ２９を経て再び再生操作待ち受けを行い、この再生操作待ち受けにおいて、別の録画データの指定、再生開始スイッチ１２８へのオン操作及び再生停止スイッチ１２９へのオン操作を待ち受ける。
【０１６７】
かくして本処理によれば、録画再生装置１は、再生スイッチ１２６がオンされると再生準備モードへ移行してユーザによる録画データの指定を待ち受け、再生開始スイッチ１２８がオンされると再生動作モードへ移行して、ユーザにより指定された録画データに対応する音声映像データの再生を行う。
そして、録画データの指定を待ち受ける際は、例えば録画データ表示画面ｘ３（図２２参照）を表示して、指定された録画データについての情報を表示する。
【０１６８】
次に、本実施の形態の録画データ表示処理について、これをフローチャートで表した図１９を用いて詳細に説明する。ＣＰＵ１０は、再生処理の必要に応じて（例えばステップＥ２９において）メモリ部１７Ａの録画データ表示処理プログラム１７ｈを実行することにより、同図に示す録画データ表示処理を行う。
【０１６９】
録画データ表示処理を開始すると、まずＣＰＵ１０は、本処理を行うにあたって予め取得された録画データの番組データ項目の内容を表示する（ステップＢ４１）。この場合、例えば、図２２に示す録画データ表示画面ｘ３の番組内容表示ｘ３１のように行う。
【０１７０】
そしてＣＰＵ１０は、当該録画データの視聴フラグの表示を行う。例えば視聴情報表示ｘ３２のように表示して本処理を終了する。
かくして本処理によれば、例えば、録画データ表示画面ｘ３における視聴情報表示ｘ３２のように、録画データの番組データ項目の内容とともに視聴フラグの内容を示し、これにより、対応する音声映像データが視聴済であるか未視聴であるかを表示する。
【０１７１】
従って、本実施の形態の再生処理である再生処理によれば、ユーザは音声映像データが視聴済であるか未視聴であるかを容易に判断し、これを参考にして、視聴する音声映像データを指定し、再生することができる。
【０１７２】
図２３は変形例を示す。録画再生装置本体に撮像部２００を組み込んだ外観を示している。２０２はＣＣＤなどの撮像素子の窓である。１６１は表示部、１２はキー群である。
図２４はリモコン３００の外観図である。操作入力部１２のキー群が配置されている。
【０１７３】
なお、上記実施の形態では据え置き型の録画再生装置を例として説明したが、これに限ることなく携帯型やパソコンに搭載したり携帯電話に搭載したり種々応用可能である。
【図面の簡単な説明】
【０１７４】
【図１】本発明の一実施の形態における録画再生装置の回路構成を示す図である。
【図２】実施の形態におけるメモリ部の構成を示す図である。
【図３】ＥＰＧデータエリアの構成を示す図である。
【図４】予約データエリアの構成を示す図である。
【図５】実施の形態における録画データエリアの構成を示す図である。
【図６】メイン処理を示す図である。
【図７】視聴処理を示す図である。
【図８】チャンネル変更処理を示す図である。
【図９】録画設定処理を示す図である。
【図１０】録画設定処理を示す図である。
【図１１】録画処理を示す図である。
【図１２】録画処理を示す図である。
【図１３】録画処理を示す図である。
【図１４】録画処理を示す図である。
【図１５】再生処理を示す図である。
【図１６】再生処理を示す図である。
【図１７】再生処理を示す図である。
【図１８】再生処理を示す図である。
【図１９】録画データ表示処理を示す図である。
【図２０】ＥＰＧ番組表を示す図である。
【図２１】音声映像データがない旨の警告表示画面を示す図である。
【図２２】録画データ表示画面を示す図である。
【図２３】撮像部を内蔵した録画再生装置の外観を示す図である。
【図２４】リモコンを示す図である。
【符号の説明】
【０１７５】
１ 録画再生装置
１０ ＣＰＵ
１２  操作入力部
１３ ＴＶ回路部
１４ ビデオ回路部
１５  音声映像記録部
１５ｄ１、１５ｄ２、・・・ 音声映像データ
１７  メモリ部
１７Ａ  メモリ部
１７Ｂ  メモリ部
１７ｊ  撮影認識プログラム
１６１ 表示部
１７０  試聴フラグエリア
１７５  予約データエリア
１７５ａ  録画予約を行ったユーザ識別コードが書き込まれるエリア
１７６  録画データエリア
１７６ａ  試聴フラグエリア
１７６ｂ  試聴完了フラグエリア
２００  撮像部
Ｘ３  録画データ表示画面
Ｘ３２  試聴情報表示
【図１】
2007250157.tif 000003
【図２】
2007250157.tif 000004
【図３】
2007250157.tif 000005
【図４】
2007250157.tif 000006
【図５】
2007250157.tif 000007
【図６】
2007250157.tif 000008
【図７】
2007250157.tif 000009
【図８】
2007250157.tif 000010
【図９】
2007250157.tif 000011
【図１０】
2007250157.tif 000012
【図１１】
2007250157.tif 000013
【図１２】
2007250157.tif 000014
【図１３】
2007250157.tif 000015
【図１４】
2007250157.tif 000016
【図１５】
2007250157.tif 000017
【図１６】
2007250157.tif 000018
【図１７】
2007250157.tif 000019
【図１８】
2007250157.tif 000020
【図１９】
2007250157.tif 000021
【図２０】
2007250157.tif 000022
【図２１】
2007250157.tif 000023
【図２２】
2007250157.tif 000024
【図２３】
2007250157.tif 000025
【図２４】
2007250157.tif 000026